(57)【要約】【課題】自動的かつ迅速にＩＤおよび位置座標の設定を実施するマルチスクリーンディスプレイ装置を提供する。【解決手段】ディスプレイ装置の上下左右に半円柱状のプレートを設置する。  プレートはディスプレイ装置の側面に対して角度０radであり、対面のプレートは角度θd [rad]の差分を持っている。  マルチスクリーンディスプレイ装置内の各ディスプレイ装置の位置座標を(x、 y)で表現すると、ディスプレイ装置のプレートの角度をθとすると、(１)式を得る。X = θ / θd ・・・(１)垂直方向においても、同様の機構を設けると、yを得る。【選択図】図１１
2009265351.tif 000002
【特許請求の範囲】
【請求項１】
マルチスクリーンディスプレイ装置に用いられ上下または左右に配置されるディスプレイ装置であって、
上記ディスプレイ装置同士の隣接面に半円柱形状のプレートを有し、
上記プレートは半円柱形状の円周の中心を回転軸として円周方向に回転動作を行う機構を有することを特徴とした
ディスプレイ装置。
【請求項２】
請求項１に記載のディスプレイ装置おいて、
任意のプレートの回転軸を中心とした回転に対して、
上記任意のプレートを有する上記ディスプレイ装置と隣接する上記ディスプレイ装置の対応するプレートが、任意の角度の差分で回転する機構を有することを特徴とした
ディスプレイ装置。
【請求項３】
請求項１乃至請求項２に記載のディスプレイ装置において、
上記プレートは、任意の角度を持って回転した時に、
隣接するディスプレイ装置の、対応するプレートを前記任意の角度で回転させる機構を有することを特徴とした
ディスプレイ装置。
【請求項４】
請求項１に記載のディスプレイ装置おいて、
マルチスクリーンディスプレイ装置におけるディスプレイ装置の位置座標を（ｘ、ｙ）で表現した場合に、
上記（ｘ、ｙ）座標を導出する内部演算処理部を有し、
上記演算処理部が、
上記プレートの回転角度を参照し、
位置座標、または前記ディスプレイ装置を識別する識別子であるＩＤを演算することを特徴とした
ディスプレイ装置。
【請求項５】
請求項１に記載のディスプレイ装置おいて、
上記プレートの回転角度を検出する角度検出機構を有し、
位置座標、または前記ディスプレイ装置を識別する識別子であるＩＤを演算する内部演算処理部をマイコンで処理することを特徴とした
ディスプレイ装置。
【発明の詳細な説明】
【技術分野】
【０００１】
本発明は、複数台のディスプレイ装置を上下または左右に配置されて一つの画面を構成するマルチスクリーンディスプレイ装置に用いられるディスプレイ装置に関する。
【背景技術】
【０００２】
複数台のディスプレイ装置を上下または左右につなぎ合わせて、または配置されて、一つの画面を構成するマルチスクリーンディスプレイ装置は、イベント会場やショールーム、または大型監視システム等などで広く用いられている。
【０００３】
イベント会場やショールームでは、会場準備の時間が予め決められている。会場準備では多くの作業が同時に行われるため、マルチスクリーンディスプレイ装置の設置開始から設置完了までの設置工数を少しでも低減させることが求められている。
【０００４】
また、設置費用削減のため設置作業に当たる作業員も少人数であることが現状であるため、設置作業の簡略化も求められている。
【０００５】
監視システムにおいても設置費用削減のため設置工数を低減させることは重要である。ここにおいて、監視システムにおいては、設置工数低減は、費用削減よりも重要な意味を持つ。監視システムでは、ディスプレイ装置の故障が発生した場合に、表示映像情報の欠落が発生し、重大な障害となる。そのため、ディスプレイ装置の故障が発生した場合には、ディスプレイ装置内部の制御基板の交換や該当ディスプレイ装置全体の交換等の復旧作業を迅速に行うことが要求される。
【０００６】
マルチスクリーンディスプレイ装置の設置において、ディスプレイ装置を積み上げて構築し、システムのマスターとなる、パソコン等の制御コントロールシステムで各々のディスプレイ装置を制御するためには、各々のディスプレイ装置を識別するためのユニークなＩＤを設定する作業が必要である。そのＩＤを制御コントロールシステムに通知し、制御コントロールシステムは、分割した映像を、各々のディスプレイ装置に割り当てて表示させる。
【０００７】
これら各ディスプレイ装置のＩＤは、設置作業者が各々のディスプレイ装置に対してリモコン等を用いた手動の操作によりユニークな値を設定している。マルチスクリーンディスプレイ装置内のディスプレイ装置の構成数が多い場合、これら設定時間は当然長大となる。
【０００８】
また、これら作業は手作業で行った場合、ヒューマンエラー発生の可能性が高い。発生した場合、リモコン操作等による再設定作業が発生しさらに作業が遅延することになる。
【０００９】
上記作業は、監視システム障害発生時の復旧作業でも同様であり、ディスプレイ装置を交換した後、リモコンを用いて、交換する前にディスプレイ装置に設定されていたＩＤと同値のＩＤを設定する。ここにおいても、ヒューマンエラー発生により、復旧遅延の可能性を持っている。
【００１０】
よって、システム構築作業での、ＩＤ等の作業者の手動設定に依存している作業項目の完全な自動化は、設置工程の短縮および監視システム障害発生時の迅速なシステム復旧を提供するためには必要不可欠である。
【００１１】
これら問題を解決する方法としては、例えば、特許文献１（特開２００３−２８０６２４号公報）、特許文献２（特開２０００−２００４２号公報）、特許文献３（特開平１０−３３３６３１号公報）が開示されている。
【００１２】
【特許文献１】特開２００３−２８０６２４号公報
【特許文献２】特開２０００−２００４２号公報
【特許文献３】特開平１０−３３３６３１号公報  特許文献1において、マルチスクリーンディスプレイ装置を構成する各ディスプレイ装置に４方向インタフェースを設け、各インタフェースを介して制御信号を伝播させ、各ディスプレイ装置のＩＤに相当する位置座標を自動で取得するディスプレイ装置が記載されている。
【００１３】
特許文献２において、マルチスクリーンディスプレイ装置を構成する各ディスプレイ装置を、制御信号用ケーブルを用いてディジーチェーン方式で鎖状に接続して、各ディスプレイ装置のＩＤに相当する位置座標を自動で取得するディスプレイ装置が記載されている。
【００１４】
特許文献３において、複数個の表示ユニットを連結し一つの大型ディスプレイ装置を構成する表示ユニットに、表示ユニット間で信号のやり取りを行うための信号伝達部と、電力を供給するための電力伝達部とを設け、隣接する他の表示ユニットと信号のやり取りを行って、各表示ユニットのＩＤに相当する位置座標を自動で取得する表示ユニットが記載されている。
【発明の開示】
【発明が解決しようとする課題】
【００１５】
しかしながら、上記特許文献１に開示の方法においては、マルチスクリーンディスプレイ装置の設置作業において個々のディスプレイ装置にユニークなＩＤを設定するには、マスターとなるディスプレイ装置を起点とする制御信号を全ディスプレイ装置に伝播させる。
【００１６】
ここで、上記信号の伝播にあたり、自動設定開始命令をディスプレイ装置に対して行う必要がある。
【００１７】
また、ディスプレイ装置の故障が発生し、ディスプレイ装置の交換が行われた場合、上記ＩＤ設定の手順を再度実施する必要がある。
【００１８】
特許文献２に開示の方法においては、マルチスクリーンディスプレイ装置の設置作業において個々のディスプレイ装置にユニークなＩＤを設定するには、マスターとなるディスプレイ装置を起点とする制御信号を全ディスプレイ装置に伝播させる。また、制御信号を伝播させるため、すべてのディスプレイ装置に電源が投入されていることが条件である。
【００１９】
ここで、上記信号の伝播にあたり、任意のディスプレイ装置に対してリモコン等を用いて作業者がマスター設定を行い、後自動設定開始命令をディスプレイ装置に対して行う必要がある。
【００２０】
また、ディスプレイ装置の故障が発生し、ディスプレイ装置の交換が行われた場合、上記ＩＤ設定の手順を再度実施する必要がある。
【００２１】
上記特許文献３に開示の方法においては、ＩＤ設定の手順として、最初の作業として、マスターとなるディスプレイ装置に対してのみ電源を入れる必要がある。
【００２２】
また、特許文献３において、前述特許文献１、特許文献２に開示の方法と同様に、ディスプレイ装置の故障が発生し、ディスプレイ装置の交換が実施される場合にも、同様のＩＤ設定の手順を実施する必要がある。
【００２３】
前述のように、マルチスクリーンディスプレイ装置の現地据付設置および交換作業においては、工数を低減することが求められている。
【００２４】
したがって、かかる点に鑑みてなされた本発明の目的は、マルチスクリーンディスプレイ装置を構成するディスプレイ装置に対して、自動設定開始命令も不要であり、且つ、すべてのディスプレイ装置に電源が入っていない状態であっても、自動的にパソコン等の制御コントロールシステムによる制御を可能とさせるＩＤを設定するマルチスクリーンディスプレイ装置を提供することにある。
【課題を解決するための手段】
【００２５】
上述した目的を達成する本発明にかかるディスプレイ装置は、複数台のディスプレイ装置を上下または左右につなぎ合わせて、または配置されて、一つの画面を構成するマルチスクリーンディスプレイ装置を構成するディスプレイ装置であって、ディスプレイ装置の上下左右の側面に半円柱形状のプレートを有し、上記プレートは半円柱形状の円周の中心を回転軸として円周方向に回転動作を行う機構を持つ。
【００２６】
このとき、上側のプレートと下側のプレート、右側のプレートと左側のプレートはそれぞれ連動して回転し、所定の角度の差分を維持しながら回転する機構を持つ。
【００２７】
さらに上記ディスプレイ装置おいて、マルチスクリーンディスプレイ装置におけるディスプレイ装置を識別する識別子であるＩＤを位置座標（ｘ、ｙ）で表現した場合に、上記（ｘ、ｙ）座標を内部演算処理により導出する機能を有する。
【発明の効果】
【００２８】
マルチスクリーンディスプレイ装置における各ディスプレイ装置において、自動でユニークなＩＤを得ることが可能である。
また、故障したディスプレイ装置の交換を実施した場合においても、交換作業者は、ディスプレイ装置を入れ替える作業のみで、ユニークなＩＤを得ることができる。
【発明を実施するための最良の形態】
【００２９】
以下に図面を参照して、本発明の実施の形態について説明する。
【００３０】
図１は、本発明における実施形態である個々のディスプレイ装置に取り付けられる半円柱形状のプレートを示す図である。同図において、1はディスプレイ装置であり、図1にはディスプレイ装置1の上面或いは下面或いは側面のみを図示しており、図中上側が装置外部、下側が装置内部である。２は半円柱形状のプレートを示す。３はプレート２の円周の中心軸を示し、プレート２は、中心軸３を回転軸に回転する。回転方向は１方向とする。回転方向は、時計回り、半時計回りどちらでもかまわない。ディスプレイ装置に設置されるプレートすべてが同一方向に回転するものであれば制限は無い。本文中では、すべてのプレートは紙面に向かって左回転するものとする。
【００３１】
図２に、本発明の実施形態における、ディスプレイ装置へのプレート２の取り付け位置を示す。1はディスプレイ装置を示し、前面が映像表示画面である。ａはプレート２をディスプレイ装置1の上面に取り付ける位置、ｂはプレート２をディスプレイ装置１の下面に取り付ける位置、ｃはプレート２をディスプレイ装置１の左側面に取り付ける位置、ｄはプレート２をディスプレイ装置1の右側面に取り付ける位置を示す。
【００３２】
図３は、本発明の実施形態における、図２の位置aおよび位置bに示す位置に設置されたプレート２の初期状態を示す図である。同図において、２ａは位置aに取り付けられたプレートを示し、２ｂは位置bに取り付けられたプレートを示す。
【００３３】
また、３ａはプレート２ａの円周の中心軸、３ｂはプレート２ｂの円周の中心軸を示す。プレート２ａの中心軸３ａとプレート２ｂの中心軸３ｂは、垂直方向同位置にある。
【００３４】
また、本発明の実施の形態において、図３に示すようにプレート２ａとプレート２ｂは、角度θd [rad]の差分を持っている。また、プレート２ｂは、プレート２ａの中心軸３ａを回転軸とした回転と同期して中心３ｂを回転軸として回転する。
【００３５】
図４はプレート２ａとプレート２ｂの回転状態を示す図である。図に示すように、プレート２ａとプレート２ｂの回転は常に同期し、プレート２ａとプレート２ｂの角度差分θd [rad]は常に維持される。
【００３６】
本発明の実施の形態における、二つのプレート間において角度差を維持した回転を実現する方法の例を図５に示す。同図において、５ａ、５ｂはプレート２ａ、２ｂを回転させるギア、６はギア５ａとギア５ｂを連結するシャフトを示す。ギア５ａは図示しない歯車等によりプレート２ａを回転させる機構を持ち、ギア５ｂは図示しない歯車等によりプレート２ｂを回転させる機構を持つ。また、シャフト６とギア５ａ及びシャフト６とギア５ｂは、ピン等で連結されており、ギア５ａの回転運動はギア５ｂのピストン運動により伝達されギア５ｂを回転させる。また、７ａ、７ｂはギア５ａ、５ｂ及びプレート２ａ、２ｂをディスプレイ装置1の内側にスライドさせるレバーである。レバー７ａ、７ｂは、ディスプレイ装置1の裏面から操作可能である。
【００３７】
本発明の実施の形態における、プレート２ｂをレバー７ｂによりディスプレイ装置１の内側(図中上側)にスライドさせた場合の例を図６に示す。
【００３８】
まず最初に、シャフト６を、図に示すように、片側の連結を開放した状態とする。シャフトの取り外しは、レバー７ａ、７ｂの操作と同様にディスプレイ装置１の裏面から操作可能である。
【００３９】
連結を開放した後、レバー７ｂをスライドさせ、プレート２ｂをディスプレイ装置１の内側(図中上側)にスライドさせる。
【００４０】
上記操作により、プレート２ｂは角度差分θd [rad]を維持したまま、ディスプレイ装置１の内側の位置までスライドする。
【００４１】
図７に、前述のプレートの動作概要を踏まえた、本発明の実施形態における、ディスプレイ装置におけるプレートの初期状態を示す。同図において、２ｃは位置ｃに設置されたプレート、２ｄは位置ｄに設置されたプレートを示す。プレート2ｃとプレート2ｄの関係も、上記プレート2ａとプレート2ｂと同様である。プレート2ｃとプレート2ｄの角度の差分はθd [rad]であり、両者は同期して回転し、かつプレート2ｃ、2ｄはディスプレイ装置１の内側にスライド可能としている。
【００４２】
なお、図７に示すように、初期状態においては、プレート２ａとプレート２ｃはディスプレイ装置１の上面および側面に対して角度０［rad］であり、プレート２ｂとプレート２ｄはディスプレイ装置１の下面および側面に対して角度θd [rad]である。
【００４３】
以上が、本発明の実施の形態における、マルチスクリーンディスプレイ装置を構成する各々のディスプレイ装置の構成である。
【００４４】
また、本発明の実施の形態における、上記のディスプレイ装置を使用したマルチスクリーンディスプレイ装置を構築にあたり、図７から明らかであるように、プレート２ｂとプレート２ｄがディスプレイ装置1の下方向および右方向に突起しており、構築の支障となる。よって、マルチスクリーンディスプレイ装置構築前に、図７を例にとると、前述図６に示す方法を用いて、ディスプレイ装置１下面から突起したプレート２ｂ、右側面から突起したプレート２ｄをディスプレイ装置内部方向にスライドさせ、マルチスクリーンディスプレイ装置構築の妨げとならないようにする。
【００４５】
構築された後、レバー７を操作し、元の状態に戻す。
【００４６】
また、本発明の実施の形態において、ディスプレイ装置に設置されたプレートの回転角度の検出を行う。
【００４７】
図８に、本発明の実施の形態における、ディスプレイ装置のプレートの回転角度検出および位置検出に関するブロック図を示す。
【００４８】
ディスプレイ装置の機構において、プレート２の近傍には、プレート２の回転角度を検出するロータリーエンコーダー等の回転角度検出機構８１を設置する。また、プレート２をディスプレイ装置１内部にスライドさせるレバー７の近傍にもレバー７の位置を検出する位置検出機構８３を設ける。前述回転角度検出機構８１および位置検出機構８３は、ディスプレイ装置１のマイコン８４が制御をおこなう。
【００４９】
同図において、マイコン８４は角度検出機構８１に対して、プレート(回転部)２の回転角度情報取得を定期的に取得する。取得した角度情報はメモリ８２に格納される。
【００５０】
本発明置の実施の形態において、レバー７操作によるプレート２の位置情報も、位置検出機構８３より取得する。プレート２が内部にスライドしている状態においては、マイコン８４は、角度検出機構８１からの角度情報取得を停止し、スライド前にメモリ８２内に格納されている角度情報を参照する。
【００５１】
また、上記ディスプレイ装置を用いてマルチスクリーンディスプレイ装置を構築するにあたり、マルチスクリーンディスプレイ装置左端のディスプレイ装置のプレート２ｃ、上端のディスプレイ装置のプレート２ａが回転しないよう、マルチスクリーンディスプレイ装置構築後に、固定ピン等で固定する必要がある。
【００５２】
固定する方法は上記に限らない。
【００５３】
以下、本発明の実施の形態における、上記構成を持つディスプレイ装置を用いたマルチスクリーンディスプレイ装置における動作について説明する。
【００５４】
図９は、本発明における実施の形態であるマルチスクリーンディスプレイ装置におけるマルチスクリーンを形成するn個（ここでは９個）の表示装置の配置を示す図である。１０、１１、１２、１３、１４、１５、１６、１７、１８はそれぞれマルチスクリーンディスプレイ装置を構成するディスプレイ装置を示す。前面が映像表示画面である。
【００５５】
本発明において、構成するディスプレイ装置の個数は上記に限ったものではない。
【００５６】
本発明の実施の形態において、ディスプレイ装置１０の、図７に示すプレート２０ｄと、ディスプレイ装置１３の、図７に示すプレート２３ｃの状態を図１０に示す。
【００５７】
同図において、各プレート２０ｄ、２３ｃはそれぞれ円周の中心軸３０、３３を回転軸として回転し、また、これらプレート２０ｄ、２３ｃは図２に示すように各ディスプレイ装置１０、１３の同じ位置に設置されている為、プレート２０ｄとプレート２３ｃが接し、プレート２０ｄはプレート２３ｃをディスプレイ装置１３内部に押し込むように回転させる。
【００５８】
図９に示すマルチスクリーンディスプレイ装置中で横に隣接して並んでいるディスプレイ装置１０、１３、１６を例にとり、本発明の実施の形態におけるディスプレイ装置に設置されたプレートの状態を図１１に示す。
【００５９】
同図において、ディスプレイ装置１０はマルチスクリーンディスプレイ装置の左端に配置されたディスプレイ装置である。よって、前述のように、プレート２０ｃは、ディスプレイ装置１０の側面に対して角度０［rad］となるように固定ピン等で固定されている。
【００６０】
本発明の実施の形態において、図４に示すように、プレート２０ｃに対面するプレート２０ｄは角度θd [rad]となる為、プレート２３ｃは角度θd [rad]となり、プレート２３ｄとプレート２６ｃは角度２θd [rad]となり、プレート２６ｄは角度３θd [rad]の角度を持つ。
【００６１】
図１２に、横軸にx軸、縦軸にy軸を置き、マルチスクリーンディスプレイ装置内の各ディスプレイ装置の位置座標を(x、 y)で表現すると、マルチスクリーンディスプレイ装置内の各ディスプレイ装置の位置座標を示す。
【００６２】
本発明の実施の形態において、同図に示す位置座標を得るために、図７に示すプレート２ｃの角度をθ2c、プレート２ａの角度をθ2aとすると、以下に示す(１)式、(２)式を用いる。
x = θ2c / θd ・・・(１)
y = θ2a / θd ・・・(２)
ここで、図１１を例にとると、
ディスプレイ装置１０では、x = ０ / θd = ０
となり、
ディスプレイ装置１３では、
x = θd / θd = １
となり、
ディスプレイ装置１６では、
x = ２θd / θd = ２
となる。
【００６３】
同様にこの式をy軸方向にも適用することで、yの値も得る。
【００６４】
また、これらxyの値より、各々のディスプレイ装置において、以下に示す(３)式を適用することで、ユニークな値(ＩＤ)を得る。
ＩＤ = x×１０ + y・・・(３)
以上により、各ディスプレイ装置１は半円柱状プレート２を用いることにより、ユニークなＩＤ及び位置座標を得る。
【００６５】
また、これらの処理は、各ディスプレイ装置１が、外部の制御コントロールシステムなしで内部プログラムによって実行する。
【００６６】
そのため、マルチスクリーンディスプレイ装置内のディスプレイ装置1の電源投入実施において特に指定する順番はなく、また、どれか一つのディスプレイ装置の電源OFF状態もしくは故障状態でも、各々のディスプレイ装置はＩＤおよび位置座標を得ることができる。
【００６７】
本発明の実施の形態における、故障したディスプレイ装置１の交換を実施する場合の交換方法を以下に示す。
【００６８】
図１２中、マルチスクリーンディスプレイ装置の中央に位置するディスプレイ装置１４を交換する場合、ディスプレイ装置１４に接するディスプレイ装置１１、１３、１５、１７の、ディスプレイ装置１４の各プレート２４ａ、２４ｂ、２４ｃ、２４ｄと、これらプレートとに接しているプレートをすべて図６に示すようにスライドさせる。
【００６９】
このとき、図８に示すマイコン８４から角度検出機構８１への角度検出情報取得は抑制され、メモリ８２から位置座標を取得する。
【００７０】
よって、ディスプレイ装置１４の交換作業中に、隣接するディスプレイ装置１１、１３、１５、１７のＩＤが変わることは無い。
【００７１】
プレート２をスライドさせた後、ディスプレイ装置１４を入れ替える。交換後にすべてのプレートを元の位置に戻すと同時に、各ディスプレイ装置１０〜１８は角度検出情報の取得を開始し、マルチスクリーンディスプレイ装置におけるユニークなＩＤと位置座標を得る。
【００７２】
また、本発明によれば、各ディスプレイ装置は、マルチスクリーンディスプレイ装置中に、電源の入っていないディスプレイ装置があったとしても、ユニークなＩＤと位置座標を得る。
【図面の簡単な説明】
【００７３】
【図１】本発明におけるディスプレイ装置に組み込むプレートの動作およびその概形を示す図である。
【図２】本発明におけるディスプレイ装置に設置されるプレートの設置位置を示す概形を示す図である。
【図３】本発明におけるディスプレイ装置に設置されるプレートの回転動作を示す図である。
【図４】本発明におけるディスプレイ装置に設置されるプレートの回転動作を示す図である。
【図５】本発明におけるディスプレイ装置に設置されるプレートの回転動作を示す図である。
【図６】本発明におけるディスプレイ装置に設置されるプレートの、ディスプレイ装置内部へのスライド動作を示す図である。
【図７】本発明におけるディスプレイ装置に設置されるプレートの回転動作の初期位置を示す図である。
【図８】本発明におけるディスプレイ装置に設置されるプレートの角度検出および位置検出に関するブロック図である。
【図９】本発明におけるマルチスクリーンディスプレイ装置の構成例を示す図である。
【図１０】本発明における隣接するディスプレイ装置間のプレートの動作を示す図である。
【図１１】本発明における隣接するディスプレイ装置間のプレートの動作を示す図である。
【図１２】本発明におけるマルチスクリーンディスプレイ装置における、各ディスプレイ装置の座標を示す図である。
【符号の説明】
【００７４】
１ ディスプレイ装置、２ プレート、３ 中心軸
【図１】
2009265351.tif 000003
【図２】
2009265351.tif 000004
【図３】
2009265351.tif 000005
【図４】
2009265351.tif 000006
【図５】
2009265351.tif 000007
【図６】
2009265351.tif 000008
【図７】
2009265351.tif 000009
【図８】
2009265351.tif 000010
【図９】
2009265351.tif 000011
【図１０】
2009265351.tif 000012
【図１１】
2009265351.tif 000013
【図１２】
2009265351.tif 000014